(57)【特許請求の範囲】
【請求項１】
ＩＣカードから、前記ＩＣカードの券種とこの券種に応じた利用可能区間の情報を含む利用情報を取得するＩＣカード情報取得手段と、
磁気カードから利用情報を取得する磁気カード情報取得手段と、
前記ＩＣカード情報取得手段により取得された利用情報に基づいて不足額の有無を判定するＩＣカード判定手段と、
前記ＩＣカード判定手段により不足額があることが判定された場合、前記磁気カード情報取得手段により取得された利用情報に含まれる残額情報から前記不足額を引き去り精算する精算手段と、
前記磁気カード情報取得手段により取得された利用情報に含まれる前記磁気カードの回数情報にて前記磁気カードへの印字が不可能なことが判明した場合、前記精算手段により精算された前記磁気カードの残額情報を前記ＩＣカードに移行して返却する残額移行手段と、
前記残額移行手段により残額情報が移行された前記磁気カードを廃棄処理する手段と
を具備したことを特徴とするカード処理装置。
【請求項２】
ＩＣカードから、前記ＩＣカードの券種とこの券種に応じた利用可能区間の情報を含む利用情報を取得するＩＣカード情報取得手段と、
磁気カードから利用情報を取得する磁気カード情報取得手段と、
前記ＩＣカード情報取得手段により取得された利用情報に基づいて不足額の有無を判定するＩＣカード判定手段と、
前記ＩＣカード判定手段により不足額があることが判定された場合、他のカードを利用して不足額を精算するか否かを利用者に案内する案内手段と、
前記案内手段の案内に応答して磁気カードが投入された場合、前記磁気カード情報取得手段により取得された利用情報に含まれる残額情報から前記不足額を引き去り精算する精算手段と、
前記磁気カード情報取得手段により取得された利用情報に含まれる前記磁気カードの回数情報にて前記磁気カードへの印字が不可能なことが判明した場合、前記精算手段により精算された前記磁気カードの残額情報を前記ＩＣカードに移行して返却する残額移行手段と、
前記残額移行手段により残額情報が移行された前記磁気カードを廃棄処理する手段と
を具備したことを特徴とするカード処理装置。
【請求項３】
ＩＣカードから、前記ＩＣカードの券種とこの券種に応じた利用可能区間の情報を含む利用情報を取得するＩＣカード情報取得手段と、
磁気カードから利用情報を取得する磁気カード情報取得手段と、
前記ＩＣカード情報取得手段により取得された利用情報に基づいて不足額の有無を判定するＩＣカード判定手段と、
前記ＩＣカード判定手段により不足額があることが判定された場合、前記磁気カード情報取得手段により取得された利用情報に含まれる残額情報から前記不足額を引き去り精算する精算手段と、
前記磁気カード情報取得手段により取得された利用情報に含まれる前記磁気カードの回数情報にて前記磁気カードへの印字が不可能なことが判明した場合、新規に磁気カードを発行するか、前記ＩＣカードに精算後の残額を移行するかを利用者に案内する案内手段と、
前記案内手段による案内で前記ＩＣカードへの移行が指示された場合に、前記精算手段により精算された前記磁気カードの残額情報を前記ＩＣカードに移行して返却する残額移行手段と、
前記残額移行手段により残額情報が移行された前記磁気カードを廃棄処理する手段と
を具備したことを特徴とするカード処理装置。
【請求項４】
ＩＣカードから、前記ＩＣカードの券種とこの券種に応じた利用可能区間の情報を含む利用情報を取得するＩＣカード情報取得手段と、
磁気カードから利用情報を取得する磁気カード情報取得手段と、
前記ＩＣカード情報取得手段により取得された利用情報に基づいて不足額の有無を判定するＩＣカード判定手段と、
前記ＩＣカード判定手段により不足額があることが判定された場合、他のカードを利用して不足額を精算するか否かを利用者に案内する第１の案内手段と、
前記第１の案内手段の案内に応答して磁気カードが投入された場合、前記磁気カード情報取得手段により取得された利用情報に含まれる残額情報から前記不足額を引き去り精算する精算手段と、
前記磁気カード情報取得手段により取得された利用情報に含まれる前記磁気カードの回数情報にて前記磁気カードへの印字が不可能なことが判明した場合、新規に磁気カードを発行するか、前記ＩＣカードに精算後の残額を移行するかを利用者に案内する第２の案内手段と、
前記第２の案内手段による案内で前記ＩＣカードへの移行が指示された場合に、前記精算手段により精算された前記磁気カードの残額情報を前記ＩＣカードに移行して返却する残額移行手段と、
前記残額移行手段により残額情報が移行された前記磁気カードを廃棄処理する手段と
を具備したことを特徴とするカード処理装置。
【請求項５】
ＩＣカードと磁気カードを処理可能であり、前記磁気カードに対しては利用毎に回数情報の記録と印字を行うカード処理装置におけるカード処理方法において、
前記ＩＣカードから、前記ＩＣカードの券種とこの券種に応じた利用可能区間の情報を含む利用情報を前記カード処理装置が取得するステップと、
前記ＩＣカードから取得した利用情報に基づいて不足額の有無を判定するステップと、
不足額があることが判定した場合、前記カード処理装置に投入された磁気カードから利用情報を取得するステップと、
前記磁気カードから取得した利用情報に含まれる残額情報から前記不足額を引き去り精算するステップと、
前記磁気カードから取得した利用情報に含まれる回数情報にて前記磁気カードへの印字が不可能なことが判明した場合、精算された前記磁気カードの残額情報を前記ＩＣカードに移行して返却するステップと、
前記残額情報が移行された前記磁気カードを廃棄処理するステップと
を有することを特徴とするカード処理装置によるカード処理方法。
【請求項６】
ＩＣカードと磁気カードを処理可能であり、前記磁気カードに対しては利用毎に回数情報の記録と印字を行うカード処理装置におけるカード処理方法において、
前記ＩＣカードから、前記ＩＣカードの券種とこの券種に応じた利用可能区間の情報を含む利用情報を前記カード処理装置が取得するステップと、
前記ＩＣカードから取得した利用情報に基づいて不足額の有無を判定するステップと、
不足額があることが判定した場合、他のカードを利用して不足額を精算するか否かを利用者に案内するステップと、
この案内により前記カード処理装置に投入された磁気カードから利用情報を取得するステップと、
前記磁気カードから取得した利用情報に含まれる残額情報から前記不足額を引き去り精算するステップと、
前記磁気カードから取得した利用情報に含まれる回数情報にて前記磁気カードへの印字が不可能なことが判明した場合、精算された前記磁気カードの残額情報を前記ＩＣカードに移行して返却するステップと、
前記残額情報が移行された前記磁気カードを廃棄処理するステップと
を有することを特徴とするカード処理装置によるカード処理方法。
【請求項７】
ＩＣカードと磁気カードを処理可能であり、前記磁気カードに対しては利用毎に回数情報の記録と印字を行うカード処理装置におけるカード処理方法において、
前記ＩＣカードから、前記ＩＣカードの券種とこの券種に応じた利用可能区間の情報を含む利用情報を前記カード処理装置が取得するステップと、
前記ＩＣカードから取得した利用情報に基づいて不足額の有無を判定するステップと、
不足額があることが判定した場合、前記カード処理装置に投入された磁気カードから利用情報を取得するステップと、
前記磁気カードから取得した利用情報に含まれる残額情報から前記不足額を引き去り精算するステップと、
前記磁気カードから取得した利用情報に含まれる回数情報にて前記磁気カードへの印字が不可能なことが判明した場合、新規に磁気カードを発行するか、前記ＩＣカードに精算後の残額を移行するかを利用者に案内するステップと、
この案内により前記ＩＣカードへの移行が指示された場合に、精算された前記磁気カードの残額情報を前記ＩＣカードに移行して返却するステップと、
前記残額情報が移行された前記磁気カードを廃棄処理するステップと
を有することを特徴とするカード処理装置によるカード処理方法。
【請求項８】
ＩＣカードと磁気カードを処理可能であり、前記磁気カードに対しては利用毎に回数情報の記録と印字を行うカード処理装置におけるカード処理方法において、
前記ＩＣカードから、前記ＩＣカードの券種とこの券種に応じた利用可能区間の情報を含む利用情報を前記カード処理装置が取得するステップと、
前記ＩＣカードから取得した利用情報に基づいて不足額の有無を判定するステップと、
不足額があることが判定した場合、他のカードを利用して不足額を精算するか否かを利用者に案内するステップと、
この案内により前記カード処理装置に投入された磁気カードから利用情報を取得するステップと、
前記磁気カードから取得した利用情報に含まれる残額情報から前記不足額を引き去り精算するステップと、
前記磁気カードから取得した利用情報に含まれる回数情報にて前記磁気カードへの印字が不可能なことが判明した場合、新規に磁気カードを発行するか、前記ＩＣカードに精算後の残額を移行するかを利用者に案内するステップと、
この案内により前記ＩＣカードへの移行が指示された場合に、精算された前記磁気カードの残額情報を前記ＩＣカードに移行して返却するステップと、
前記残額情報が移行された前記磁気カードを廃棄処理するステップと
を有することを特徴とするカード処理装置によるカード処理方法。
【発明の詳細な説明】
【０００１】
【発明の属する技術分野】
本発明は、例えば鉄道などの交通機関に導入される自動精算機などのカード処理装置、カード処理方法に関する。
【０００２】
【従来の技術】
現在、鉄道などの交通機関においては、省力化、利用者の利便性向上、および合理化を目的として自動改札機、自動券売機、自動精算機などのさまざまなカード処理装置が導入され、これらの機器に対応する乗車券として、磁気式の切符、定期券、プリペイドカードなどの磁気カードが使用されている。
【０００３】
例えばプリペイドカードには、交通機関を利用するたびにカード処理装置によって利用日時・金額などが印字されるが、カード面における印字領域は限りがあることから、例えば高額な券の場合、小額の利用を多用した場合にプリペイドカードの印字範囲に印字しきれなくなることがある。
【０００４】
そこで、従来のカード処理装置、例えば自動改札機などには、プリペイドカードの磁気データ領域に、カードの利用回数を示す情報を使用毎に書き込んでおき、次にプリペイドカードが使用されるときにその回数情報を読み取り、所定回数に達っしたプリペイドカードについては印字満杯として、利用者にプリペイドカードを新券に交換するよう通知する機能が備えられている。
【０００５】
利用者は、新券へ交換する旨が自動改札機から通知されると、駅の窓口あるいは自動精算機にて現在のプリペイドカードを提出しそのカードは廃券し、新たなカードを発行してもらうようになる。
【０００６】
例えば自動精算機によるプリペイドカードの再発行処理の場合、投入されたプリペイドカード（印字満杯券）の磁気情報を読み取り、使用回数が所定回数に達っしたことが検出されると、印字満杯と判定して、カード残額を新しいプリペイドカード（新券）に記録して新券の再発行処理を行う一方、印字満杯券に対して廃棄処理を行う。廃棄処理は、印字満杯券からカード残額の磁気データを消去して０度数を示すパンチ処理（打刻）を行う処理となる。
【０００７】
ところで、従来の自動精算機の場合、磁気カードの廃券処理と再発行処理とを連続して行うことになるために、２枚分の磁気カードの印字処理と磁気処理を行う必要がある。
【０００８】
特に、新券の発行処理では、サーマルヘッドでカード面に新たに印字する情報が多く、全体の処理時間が長くなる。自動精算機は、乗り越し精算が主な利用目的のものであるため、少しでも早く済ませたいと思う利用者にとっては憤慨の原因になる。また、他の利用者にも精神的な苛立ちが起こり、よいことではない。
【０００９】
【発明が解決しようとする課題】
このように従来の自動精算機、つまりカード処理装置では、印字が満杯になった磁気カードの再発行処理を行う際に、印字満杯券と新券との２枚分の磁気カードの印字処理と磁気処理を行うことから処理に時間がかかるという問題があった。
【００１０】
本発明はこのような課題を解決するためになされたもので、磁気カードの処理を高速に行うことのできるカード処理装置、カード処理方法を提供することを目的としている。
【００１１】
【課題を解決するための手段】
上記した目的を達成するために、請求項１記載の発明のカード処理装置は、ＩＣカードから、前記ＩＣカードの券種とこの券種に応じた利用可能区間の情報を含む利用情報を取得するＩＣカード情報取得手段と、磁気カードから利用情報を取得する磁気カード情報取得手段と、前記ＩＣカード情報取得手段により取得された利用情報に基づいて不足額の有無を判定するＩＣカード判定手段と、前記ＩＣカード判定手段により不足額があることが判定された場合、前記磁気カード情報取得手段により取得された利用情報に含まれる残額情報から前記不足額を引き去り精算する精算手段と、前記磁気カード情報取得手段により取得された利用情報に含まれる前記磁気カードの回数情報にて前記磁気カードへの印字が不可能なことが判明した場合、前記精算手段により精算された前記磁気カードの残額情報を前記ＩＣカードに移行して返却する残額移行手段と、前記残額移行手段により残額情報が移行された前記磁気カードを廃棄処理する手段とを具備したことを特徴としている。
【００１２】
請求項２記載の発明のカード処理装置は、ＩＣカードから、前記ＩＣカードの券種とこの券種に応じた利用可能区間の情報を含む利用情報を取得するＩＣカード情報取得手段と、磁気カードから利用情報を取得する磁気カード情報取得手段と、前記ＩＣカード情報取得手段により取得された利用情報に基づいて不足額の有無を判定するＩＣカード判定手段と、前記ＩＣカード判定手段により不足額があることが判定された場合、他のカードを利用して不足額を精算するか否かを利用者に案内する案内手段と、前記案内手段の案内に応答して磁気カードが投入された場合、前記磁気カード情報取得手段により取得された利用情報に含まれる残額情報から前記不足額を引き去り精算する精算手段と、前記磁気カード情報取得手段により取得された前記磁気カードの回数情報にて前記磁気カードへの印字が不可能なことが判明した場合、前記精算手段により精算された前記磁気カードの残額情報を前記ＩＣカードに移行して返却する残額移行手段と、前記残額移行手段により残額情報が移行された前記磁気カードを廃棄処理する手段とを具備したことを特徴としている。
【００１３】
請求項３記載の発明のカード処理装置は、ＩＣカードから、前記ＩＣカードの券種とこの券種に応じた利用可能区間の情報を含む利用情報を取得するＩＣカード情報取得手段と、磁気カードから利用情報を取得する磁気カード情報取得手段と、前記ＩＣカード情報取得手段により取得された利用情報に基づいて不足額の有無を判定するＩＣカード判定手段と、前記ＩＣカード判定手段により不足額があることが判定された場合、前記磁気カード情報取得手段により取得された利用情報に含まれる残額情報から前記不足額を引き去り精算する精算手段と、前記磁気カード情報取得手段により取得された利用情報に含まれる前記磁気カードの回数情報にて前記磁気カードへの印字が不可能なことが判明した場合、新規に磁気カードを発行するか、前記ＩＣカードに精算後の残額を移行するかを利用者に案内する案内手段と、前記案内手段による案内で前記ＩＣカードへの移行が指示された場合に、前記精算手段により精算された前記磁気カードの残額情報を前記ＩＣカードに移行して返却する残額移行手段と、前記残額移行手段により残額情報が移行された前記磁気カードを廃棄処理する手段とを具備したことを特徴としている。
【００１４】
請求項４記載の発明のカード処理装置は、ＩＣカードから、前記ＩＣカードの券種とこの券種に応じた利用可能区間の情報を含む利用情報を取得するＩＣカード情報取得手段と、磁気カードから利用情報を取得する磁気カード情報取得手段と、前記ＩＣカード情報取得手段により取得された利用情報に基づいて不足額の有無を判定するＩＣカード判定手段と、前記ＩＣカード判定手段により不足額があることが判定された場合、他のカードを利用して不足額を精算するか否かを利用者に案内する第１の案内手段と、前記第１の案内手段の案内に応答して磁気カードが投入された場合、前記磁気カード情報取得手段により取得された利用情報に含まれる残額情報から前記不足額を引き去り精算する精算手段と、前記磁気カード情報取得手段により取得された利用情報に含まれる前記磁気カードの回数情報にて前記磁気カードへの印字が不可能なことが判明した場合、新規に磁気カードを発行するか、前記ＩＣカードに精算後の残額を移行するかを利用者に案内する第２の案内手段と、前記第２の案内手段による案内で前記ＩＣカードへの移行が指示された場合に、前記精算手段により精算された前記磁気カードの残額情報を前記ＩＣカードに移行して返却する残額移行手段と、前記残額移行手段により残額情報が移行された前記磁気カードを廃棄処理する手段とを具備したことを特徴としている。
【００１５】
請求項５記載の発明のカード処理方法は、ＩＣカードと磁気カードを処理可能であり、前記磁気カードに対しては利用毎に回数情報の記録と印字を行うカード処理装置におけるカード処理方法において、前記ＩＣカードから、前記ＩＣカードの券種とこの券種に応じた利用可能区間の情報を含む利用情報を前記カード処理装置が取得するステップと、前記ＩＣカードから取得した利用情報に基づいて不足額の有無を判定するステップと、不足額があることが判定した場合、前記カード処理装置に投入された磁気カードから利用情報を取得するステップと、前記磁気カードから取得した利用情報に含まれる残額情報から前記不足額を引き去り精算するステップと、前記磁気カードから取得した利用情報に含まれる回数情報にて前記磁気カードへの印字が不可能なことが判明した場合、精算された前記磁気カードの残額情報を前記ＩＣカードに移行して返却するステップと、前記残額情報が移行された前記磁気カードを廃棄処理するステップとを有することを特徴としている。
【００１６】
請求項６記載の発明のカード処理方法は、ＩＣカードと磁気カードを処理可能であり、前記磁気カードに対しては利用毎に回数情報の記録と印字を行うカード処理装置におけるカード処理方法において、前記ＩＣカードから、前記ＩＣカードの券種とこの券種に応じた利用可能区間の情報を含む利用情報を前記カード処理装置が取得するステップと、前記ＩＣカードから取得した利用情報に基づいて不足額の有無を判定するステップと、不足額があることが判定した場合、他のカードを利用して不足額を精算するか否かを利用者に案内するステップと、この案内により前記カード処理装置に投入された磁気カードから利用情報を取得するステップと、前記磁気カードから取得した利用情報に含まれる残額情報から前記不足額を引き去り精算するステップと、前記磁気カードから取得した利用情報に含まれる回数情報にて前記磁気カードへの印字が不可能なことが判明した場合、精算された前記磁気カードの残額情報を前記ＩＣカードに移行して返却するステップと、前記残額情報が移行された前記磁気カードを廃棄処理するステップとを有することを特徴としている。
【００１７】
請求項７記載の発明のカード処理方法は、ＩＣカードと磁気カードを処理可能であり、前記磁気カードに対しては利用毎に回数情報の記録と印字を行うカード処理装置におけるカード処理方法において、前記ＩＣカードから、前記ＩＣカードの券種とこの券種に応じた利用可能区間の情報を含む利用情報を前記カード処理装置が取得するステップと、前記ＩＣカードから取得した利用情報に基づいて不足額の有無を判定するステップと、不足額があることが判定した場合、前記カード処理装置に投入された磁気カードから利用情報を取得するステップと、前記磁気カードから取得した利用情報に含まれる残額情報から前記不足額を引き去り精算するステップと、前記磁気カードから取得した利用情報に含まれる回数情報にて前記磁気カードへの印字が不可能なことが判明した場合、新規に磁気カードを発行するか、前記ＩＣカードに精算後の残額を移行するかを利用者に案内するステップと、この案内により前記ＩＣカードへの移行が指示された場合に、精算された前記磁気カードの残額情報を前記ＩＣカードに移行して返却するステップと、前記残額情報が移行された前記磁気カードを廃棄処理するステップとを有することを特徴としている。
【００１８】
請求項８記載の発明のカード処理方法は、ＩＣカードと磁気カードを処理可能であり、前記磁気カードに対しては利用毎に回数情報の記録と印字を行うカード処理装置におけるカード処理方法において、前記ＩＣカードから、前記ＩＣカードの券種とこの券種に応じた利用可能区間の情報を含む利用情報を前記カード処理装置が取得するステップと、前記ＩＣカードから取得した利用情報に基づいて不足額の有無を判定するステップと、不足額があることが判定した場合、他のカードを利用して不足額を精算するか否かを利用者に案内するステップと、この案内により前記カード処理装置に投入された磁気カードから利用情報を取得するステップと、前記磁気カードから取得した利用情報に含まれる残額情報から前記不足額を引き去り精算するステップと、前記磁気カードから取得した利用情報に含まれる回数情報にて前記磁気カードへの印字が不可能なことが判明した場合、新規に磁気カードを発行するか、前記ＩＣカードに精算後の残額を移行するかを利用者に案内するステップと、この案内により前記ＩＣカードへの移行が指示された場合に、精算された前記磁気カードの残額情報を前記ＩＣカードに移行して返却するステップと、前記残額情報が移行された前記磁気カードを廃棄処理するステップとを有することを特徴としている。
【００１９】
この発明では、ＩＣカードから、ＩＣカードの券種とこの券種に応じた利用可能区間の情報を含む利用情報を取得し、取得した利用情報に基づいて不足額の有無を判定し、不足額があった場合、不足額精算のための投入された磁気カードから利用情報を取得し、取得した利用情報に含まれる残額情報から不足額を引き去り精算する。この際に、磁気カードから取得した利用情報に含まれる回数情報にて磁気カードへの印字が不可能なことが判明した場合、精算した残りの磁気カードの残額情報をＩＣカードに移行して返却し、残額情報を移行済みの磁気カードを廃棄処理するので、磁気カードの再発行およびこの際の印字処理が不用になる。
【００２０】
また、精算時や印字不能時に利用者に指示を仰ぐことで、利用者のニーズに合った処理が可能になり、利用者の利便性を向上することができる。
【００２１】
すなわち、従来では、磁気カードの印字範囲に書き込みできなくなった場合は新券の再発行を必然的に行わなければならず、この際、新券には多くの文字を印字することになるため時間がかかっていたが、本発明では、磁気カードの残額をＩＣカードへ移行し、残額移行済みの磁気カードは廃棄するだけなので、磁気カードへの印字処理工程が不要になり、精算処理を高速に（短時間）に行うことができる。
【００２２】
【発明の実施の形態】
以下、本発明の実施の形態を図面を参照して詳細に説明する。
図１は本発明に係る一つの実施形態の自動精算機１の構成を示す図、図２は図１の自動精算機１の制御系統２を示す図、図３は図１の自動精算機１に適用される磁気カード３を示す図、図４は図１の自動精算機１に適用されるＩＣカード５を示す図である。
【００２３】
図１に示すように、この自動精算機１は、カード挿入／排出部１１、搬送用モータ１４、カード識別手段としてのカード整位部１５、カード振分部１６、カードへの印刷手段としてのサーマルヘッド１７およびＩＣカード５の情報を取得するＩＣカード情報取得手段としての無線アンテナ部１８（質問器）などからなるＩＣカード処理部１９、回収ローラ２０、ＩＣカード収容手段としてのＩＣカードホッパー２１、磁気情報処理手段としての磁気ヘッド２２、目安パンチ２３、磁気カード印字手段としてのサーマルヘッド２４、カード振分部２５、廃棄券収容手段としての廃券箱２６、磁気カード収容手段としての磁気カードホッパー２７などから構成されている。
【００２４】
カード挿入／排出部１１はカード検知手段としてのセンサ１２と、搬送用モータ１４により駆動されるローラ１３（カード搬送手段）とを備え、プリペイドカード、ＳＦ（ストアード・フェア・カード）、切符、定期券などの磁気式の情報記録媒体１（以下磁気カード３と称す）あるいはＩＣ式の情報記録媒体２（以下ＩＣカード５と称す）が挿入された場合にこれらを共に内部に取り込む。センサ１２は赤外線センサなどの遮光検知方式のセンサである。カード整位部１５はカードの返却、保留、識別、整位などを行う。カード振分部１６は磁気カード３とＩＣカード５とをそれぞれの搬送路へ振り分ける。磁気ヘッド２１は磁気カード３に対するリード／ライトを行う。目安パンチ２３は利用に応じた残額の目安穴を磁気カード３に設ける（空ける）。サーマルヘッド２４はこれから発行する新券および印字スペースのある磁気カード３に情報を印字する。サーマルヘッド１７はこれから発行する新券のＩＣカード５に発行情報を印字する。カード振分部２５はカード挿入／排出部１１からの不要の磁気カード（廃券）と磁気カードホッパー２７からの新規に発行する磁気カード３（新券）とのカード搬送経路を切り換える。廃券箱２６は廃券を取り込み、収容しておくものである。磁気カードホッパー２７は再発行する磁気カード３の新券を格納しておくものである。ＩＣカードホッパー２１は新規発行するＩＣカード５を格納しておくものである。
【００２５】
図２に示すように、自動精算機１の制御系統２は、自動精算機全体を制御するセントラル・プロセッシング・ユニット４２（以下ＣＰＵと称す）、このＣＰＵ４２の制御プログラムを記憶しているリード・オンリー・メモリ４４（以下ＲＯＭを称す）、磁気カード３あるいはＩＣカード５等の乗車券から読み取った情報の記憶および制御プログラムのバッファとして情報を記憶するランダム・アクセス・メモリ４６（以下ＲＡＭと称す）、乗車券の使用が開始された入場駅（あるいは入場駅に対応した入場駅コード）に対応した運賃情報を記憶している運賃メモリ４８、磁気ヘッド２２の磁気情報書き込み動作および読み出し動作を制御する磁気情報処理回路５０、センサ１２の出力に基づき乗車券の搬送状態を検知する乗車券検知回路５４、磁気カード３あるいはＩＣカード５等の乗車券をそれぞれの搬送経路に沿って搬送させる搬送用モータ１４を制御する搬送制御回路５６、無線アンテナ部１８を通じてＩＣカード５への情報の書き込み（記録）および読み込みを行うＩＣカード情報処理回路５７、利用者への案内あるいはカード処理結果などをに表示すると共に利用者の操作を受け付ける表示操作部５８、磁気カード３に利用度数などの目安穴を設ける目安パンチ２３を駆動するパンチドライバ６１、磁気カード３あるいはＩＣカード５等の乗車券に印字を行うサーマルヘッド１７，２４を駆動する印刷ドライバー６０、この自動精算機の情報を管理および制御する図示しない制御盤あるいはホストコンピュータなどの上位装置との間で情報の伝送を行う伝送制御回路６２などから構成されている。
【００２６】
図３に示すように、乗車券の一つとしての磁気カード３の裏面には、少なくとも印字領域３３と磁気データ領域３４とが設けられている。印字領域３３には、乗車駅、降車駅、利用日時、残額などの利用情報が上から順に印字される。なお、この実施形態では、一列に印字する例について説明したが、この他、利用情報を２列に印字する場合もある。磁気データ領域３４には、上記乗車駅、降車駅、利用日時、残額などの他、利用回数情報、券種情報などの情報が利用情報の一部として磁気データで記録される。
【００２７】
図４に示すように、乗車券の一つとしてのＩＣカード５は、ＥＥＰＲＯＭなどのデータを読出／書込可能な不揮発性のメモリ７５と、このメモリ７５へのデータの読出／書込を行うコントローラ７６と、自動精算機１および自動改札機などのカード処理装置と無線通信を行うアンテナ部７７とを有している。アンテナ部７７はカード処理装置側（質問器）から放射される電波を整流して駆動電源として使用し反射を返すコイルアンテナを備えており、電源が不要なものである。質問器に対して応答器とも呼ばれる。
【００２８】
メモリ７５には、読出専用領域７５ａとストアードフェア領域７５ｂ（以下ＳＦ領域７５ｂと称す）とが設けられている。読出専用領域７５ａには乗車券に相当する情報の他、カードＩＤ、利用者ＩＤなどの固有情報や、その他さまざまな情報が利用情報として記録されている。乗車券に相当する情報とは券種（定期券、周遊券など）とこの券種に応じた利用可能区間の情報、利用者の情報などである。ＳＦ領域７５ｂには、入場駅、退場駅、残額などの磁気カード３の磁気データを含むさまざまな情報が記録可能であり、また、所定の処理により書き換えや読み出しも可能である。
【００２９】
以下、図５のフローチャートを参照してこの自動精算機１の動作を説明する。この自動精算機１では、電源スイッチがオンされることで、ＣＰＵ４２は、ＲＯＭ４４に記憶されている制御プログラムをＲＡＭ４６に読み込み、制御プログラムの制御の基で動作するようになる。
【００３０】
一例として、例えば利用者がＩＣカード５の定期券で乗り越しをして、磁気カード３のプリペイドカードで精算するケースを想定して説明する。
【００３１】
この場合、ＩＣカード５とプリペイドカードなどの磁気カード３、あるいはＩＣカード５だけがカード挿入／排出部１１に投入されると、カード挿入／排出部１１では、センサ１２によってカードが検知され（図５のＳ１０１）、ＣＰＵ４２に通知される。すると、ＣＰＵ４２はローラ１３を駆動し、これらのカードを内部に取り込む（Ｓ１０２）。
【００３２】
内部に取り込まれたカードは、整位部１５によりカードの向きが整位されながらカードサイズが検知されて搬送され、ＣＰＵ４２により、カードサイズに応じたカードの種別が判定され（Ｓ１０３）、識別されたカード種別に応じてカード振分部１６が切り換えられてそれぞれの搬送経路へ搬送され、各カードの種別に応じた処理が実行される。
【００３３】
具体的には、整位部１５に先に入ってきたカードが、例えばＩＣカード５であれば、搬送経路８に沿ってＩＣカード処理部１９へ搬送され、磁気カード３であれば、搬送経路９に沿って磁気ヘッド２２の方向へ搬送される。
【００３４】
ＩＣカード処理部１９では、搬送されてきたＩＣカード５に対して無線アンテナ部１８が無線通信を行うことで、ＩＣカード５の情報を取得し（Ｓ１０４）、ＩＣカード５の券種、利用情報をＣＰＵ４２に渡す。
【００３５】
ＣＰＵ４２は、無線アンテナ部１８から受け取った券種の情報、利用情報を基に、まず、投入されたＩＣカード５だけで精算処理の可能か否かを判定する（Ｓ１０５）。
【００３６】
この判定結果、ＩＣカード５だけで精算処理が行える場合（Ｓ１０５のＹｅｓ）、ＣＰＵ４２は精算処理して（Ｓ１０６）、ＩＣカード５を返却する（Ｓ１０７）。
【００３７】
一方、上記判定結果、ＩＣカード５だけでは精算処理が行えない場合（Ｓ１０５のＮｏ）、ＣＰＵ４２は他のカードが挿入されたかどうかをチェックし（Ｓ１０８）、他のカードが挿入されていない場合（Ｓ１０８のＮｏ）、他のカード、あるいは現金などの投入を促すメッセージを操作表示部５８に表示する（Ｓ１０９）。
【００３８】
そして、他のカード、例えばプリペイドカードなどの磁気カード３が投入された場合、そのプリペイドカードは、整位部１５、カード振分部１６を経て磁気ヘッド２２側へ搬送されて、磁気ヘッド２２により磁気情報（利用情報）が読み取られて（Ｓ１１０）、ＣＰＵ４２に渡される。
【００３９】
ＣＰＵ４２は、ＩＣカード５の精算処理で判明した不足額がプリペイドカードの利用情報で精算可能か否かを判定する（Ｓ１１１）。
【００４０】
この判定結果、不足額がプリペイドカードの利用情報で精算可能な場合（Ｓ１１１のＹｅｓ）、ＣＰＵ４２はプリペイドカードの情報から不足額分を引き去り（Ｓ１１２）、利用情報に含まれていた利用回数情報にてプリペイドカードに印字可能か否かをチェックする（Ｓ１１３）。
【００４１】
このチェック結果、プリペイドカードに印字可能な場合は（Ｓ１１３のＹｅｓ）、磁気ヘッド２２で不足額引去り後の金額情報（カード残額）を書き込み（Ｓ１１４）、サーマルヘッド２４でカード残額を印字し（Ｓ１１５）、また残額の度数が所定の金額以下になった場合に（Ｓ１１６のＹｅｓ）、該当目安位置に目安パンチ２３にてパンチ穴を空けた後（Ｓ１１７）、プリペイドカードを返却する（Ｓ１１８）。
【００４２】
また、上記チェック結果、プリペイドカードに印字不可能な場合（Ｓ１１３のＮｏ）、ＣＰＵ４２は、ＩＣカード５へプリペイドカードのデータを移行（チャージ）するか、あるいはカード残額を記録した新たなプリペイドカード（新券）を再発行するかを利用者に指示（選択）を促すメッセージを表示操作部５８に表示する（Ｓ１１９）。
【００４３】
ここで、利用者によって、新券発行を行うための指示（選択）操作がなされた場合（Ｓ１２０の新券発行）、ＣＰＵ４２は、新券発行処理を行う（Ｓ１２１）。
【００４４】
一方、利用者によって、ＩＣカード５へのデータのチャージ（データの移行）を行う指示（選択）操作がなされた場合（Ｓ１２０のＩＣカード５へチャージ）、ＣＰＵ４２は、目安パンチ２３を制御して不要となるプリペイドカードに０度数を示す目安パンチを行った後（Ｓ１２２）、廃券箱２６へ搬送し廃棄する（Ｓ１２３）。
【００４５】
そして、ＣＰＵ４２は、無線アンテナ部１８を制御して不足額引去り後の金額情報（カード残額）をＩＣカード５のＳＦ領域７５ｂに書き込み（チャージし）（Ｓ１２４）、ＩＣカード５を返却する（Ｓ１０７）。
【００４６】
なお、この実施形態では、利用者に指示を促す処理をいくつか入れたが、例えばＩＣカード５にプリペイドカードのデータをチャージするかどうかを利用者に選択させる処理は、自動精算機内で自動で行うようにしてもよい。
【００４７】
このようにこの実施形態の自動精算機によれば、投入されたＩＣカード５のデータを読み取り、券種が定期券であり、乗り越しにより不足額が生じることを判明した場合に精算処理を行い、この際に利用者がプリペイドカードなどの磁気カード３での不足額精算を希望するときは、投入された磁気カード３から不足額を引き去り精算する。ここで、磁気カード３が印字満杯であれば、ＩＣカード５にカード残額をチャージして返却し、磁気カード３はそのまま廃券処理し廃券箱２６に廃棄するので、磁気カード３への印字処理工程がなくなる。
【００４８】
すなわち、利用者がＩＣカード５の定期券で乗り越しをして、磁気カード３のプリペイドカードで精算するケースにおいて、プリペイドカードに今回の利用情報を印字できないような場合は、プリペイドカードでの新券再発行を行わずにＩＣカード５にカード残額をチャージすると共にプリペイドカードを廃棄処理するので、プリペイドカードへの印字処理工程がなくなり、精算処理を迅速に行うことができる。
【００４９】
なお、本発明は上記実施形態のみに限定されるものではない。
上記実施形態におけるソフトウェア（制御プログラム）は、フレキシブルディスクなどのコンピュータが読み出し可能な記憶媒体に記憶されていても良く、また、ソフトウェア（プログラム）単体として伝送されるものでもよい。この場合、記憶媒体に記憶されたソフトウェア（プログラム）をコンピュータが読み出したり、ＬＡＮやインターネッ上のサイト（サーバ）からダウンロードしてインストールすることにより、各実施形態における処理が可能になる。
【００５０】
つまり、本発明におけるソフトウェア（プログラム）は、コンピュータと独立した記憶媒体に記憶されているものだけに限らず、ＬＡＮやインターネットなどの伝送媒体を介して流通されるものも含まれる。
【００５１】
なお、記憶媒体としては、上記フレキシブルディスクの他、例えば磁気ディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。
【００５２】
また、記憶媒体からコンピュータにインストールされたプログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行しても良い。
【００５３】
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
【００５４】
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
【００５５】
また、コンピュータとは、パソコンに限らず、情報処理機器に含まれる演算処理装置、マイコンなども含み、プログラムによって本発明の機能を実現することが可能な機器、装置を総称している。
【００５６】
【発明の効果】
以上説明したように本発明によれば、磁気カードへの印字が不可能な場合に磁気カードの残額をＩＣカードへ移行し、残額移行済みの磁気カードは廃棄してしまうので、磁気カードへの印字処理工程が不要になり、磁気カードを用いた精算処理を高速に（短時間）に行うことができる。
【図面の簡単な説明】
【図１】本発明の一つの実施形態の自動精算機の構成を示す図である。
【図２】図１の自動精算機の制御系統の構成を示す図である。
【図３】磁気カードの表面を示す図である。
【図４】ＩＣカードの構成を示す図である。
【図５】この自動精算機の動作を示すフローチャートである。
【符号の説明】
１…自動精算機、２…制御系統、３…磁気カード、５…ＩＣカード、１１…カード挿入／排出部、１２…センサ、１３…ローラ、１４…搬送用モータ、１５…カード整位部、１６…カード振分部、１７…サーマルヘッド、１８…無線アンテナ部、１９…ＩＣカード処理部、２０…回収ローラ、２１…ＩＣカードホッパー、２２…磁気ヘッド、２３…目安パンチ、２４…サーマルヘッド、２５…カード振分部、２６…廃券箱、２７…磁気カードホッパー、３３…印字領域、３４…磁気データ領域、７５…メモリ、７６…コントローラ、７７…アンテナ部。
【図１】
0004798904.tif 000002
【図２】
0004798904.tif 000003
【図３】
0004798904.tif 000004
【図４】
0004798904.tif 000005
【図５】
0004798904.tif 000006